(57)【要約】【課題】蓋体の着脱に要する操作力のばらつきを軽減することができる替芯ケースを提供すること。【解決手段】替芯を収容するケース本体２の芯取り出し口６に、芯取り出し口を覆うように蓋体３を着脱可能に装着した替芯ケースであって、前記ケース本体の芯取り出し口には、芯案内部材４が配置されて、当該芯案内部材の幅方向の両側面には、前記蓋体の内側面に接して蓋体を着脱可能に支持する凸部７がそれぞれ形成される。さらに、前記凸部の形成位置には、各凸部の内側に隣接して、前記芯案内部材４を貫通する貫通孔８がそれぞれ形成される。【選択図】図５
2018020495.tif 000002
【特許請求の範囲】
【請求項１】
替芯を収容するケース本体の芯取り出し口に、芯取り出し口を覆うように蓋体を着脱可能に装着した替芯ケースであって、
前記ケース本体の芯取り出し口には、芯案内部材が配置されて、当該芯案内部材の幅方向の両側面には、前記蓋体の内側面に接して蓋体を着脱可能に支持する凸部がそれぞれ形成され、
前記両側面の凸部の形成位置には、各凸部の内側に隣接して、前記芯案内部材を貫通する貫通孔がそれぞれ形成されていることを特徴とする替芯ケース。
【請求項２】
前記ケース本体の長手方向に沿った前記凸部の長さ寸法に対して、前記貫通孔の長さ寸法が大きく設定されていることを特徴とする請求項１に記載の替芯ケース。
【請求項３】
前記ケース本体は、前記芯案内部材と、芯案内部材の前面を覆うカバー部材とにより構成され、前記芯案内部材の前面には、長手方向に沿って互いに平行となるように、複数の直線状の隔壁が形成されて、隔壁間が芯収容部になされ、前記芯案内部材の長手方向の端部が前記カバー部材よりも突出して、前記芯取り出し口を形成していることを特徴とする請求項１または請求項２に記載の替芯ケース。
【請求項４】
前記カバー部材は透明な樹脂素材により成形され、前記芯案内部材は不透明な樹脂素材により成形されていることを特徴とする請求項３に記載の替芯ケース。
【請求項５】
前記芯案内部材の各凸部を通るように、金型によるパーティングラインが形成されていることを特徴とする請求項１ないし請求項４のいずれか１項に記載の替芯ケース。
【発明の詳細な説明】
【技術分野】
【０００１】
この発明は、シャープペンシル等に用いられる筆記芯を収容する替芯ケースに関する。
【背景技術】
【０００２】
シャープペンシル等に用いられる筆記芯を収容する替芯ケースは、替芯を収容するケース本体と、このケース本体の芯取り出し口に着脱可能に装着される蓋体との二部品により構成されている例が多い。
そして、ケース本体に形成された蓋体係止用の例えば凸部（もしくは凹部）に、蓋体の内面に形成された凹部（もしくは凸部）を嵌合させることにより、ケース本体に対して蓋体が着脱可能に取り付けられる。
【０００３】
このような構成の替芯ケースは、互いの凸部および凹部の形成位置付近に素材としての弾性力がない場合には、嵌合力にばらつきが発生し、また蓋体の着脱を繰り返すことによる前記凸部もしくは凹部の摩滅により、嵌合力が次第に低下するいわゆる経時変化が生ずるという課題があった。
【０００４】
このような課題を解消しようとする発明が、特許文献１に開示されている。特許文献１に開示された替芯ケースにおいては、蓋体の開口縁に一対の係合片を、対向するようにして延長して形成し、前記係合片の対向する内面に、ケース本体側に係合するための一対の凸部を形成するものである。
しかしながら、この構成の替芯ケースによると、蓋体に形成された係合片を受ける凹陥部を、ケース本体側に形成させる必要が生ずる。しかも、蓋体に形成された一対の係合片は折損し易く、いずれか一方の係合片が折損した場合には、ケース本体に対して蓋体を嵌合させることは不可能になる。
【０００５】
また、ケース本体に蓋体を着脱可能となるように構成した替芯ケースは、特許文献２および３にも開示されている。
特許文献２に開示された替芯ケースは、蓋体もしくはケース本体の少なくとも一方の開口端縁に可撓性（弾性変形）を持たせるための溝（切り込み溝）が形成され、この切り込み溝の付近に、係止用の凸部を形成するものである。
しかしながら、蓋体もしくはケース本体に形成された切り込み溝から亀裂が入り易く、この場合には嵌合力の低下を招くだけでなく、特許文献１に開示された例と同様に、ケース本体に蓋体を嵌合させることが不可能となり、蓋体はその役割を果たせなくなる虞も生ずる。
【０００６】
特許文献３に開示された替芯ケースにおいては、ケース本体における替芯収容部の内側壁に、線状の突出部を環状に形成し、替芯がケース本体の内側面に直接接触することにより生ずる微量の芯粉の発生を抑えようとするものである。これにより、替芯の商品価値の下落を抑えることができると言うものであり、替芯が前記内側壁に接触することにより生ずる静電気の発生も抑える効果がある点についても言及している。
しかしながら、特許文献３に開示された替芯ケースによると、ケース本体に対して蓋体を嵌合させる点についての格別な工夫はなく、これは嵌合力にばらつきが生じ、嵌合力に経時変化が生ずる点で、冒頭に記述した従来のものと変わるところはない。
【先行技術文献】
【特許文献】
【０００７】
【特許文献１】実用新案登録第２６０６５３３号公報
【特許文献２】特開２００５−８１８２８号公報
【特許文献３】実公昭６３−４６８号公報
【発明の概要】
【発明が解決しようとする課題】
【０００８】
この発明は、前記した特許文献に開示されたように、ケース本体と蓋体に凹凸等を持たせて着脱可能にするに際し、凹凸等の形成部分に弾性変形を持たせるために、素材の一部を延長成形したり、開口端縁から切り込み溝を施すことにより生ずる前記した不具合の発生を回避しようとするものである。
そしてケース本体側に、より簡素な弾性変形の付与手段を採用することで、ケース本体と蓋体との間の嵌合力のばらつき、換言すれば蓋体の着脱に要する操作力のばらつきを効果的に軽減することができる替芯ケースを提供することを課題とするものである。
【課題を解決するための手段】
【０００９】
前記した課題を解決するためになされたこの発明に係る替芯ケースは、替芯を収容するケース本体の芯取り出し口に、芯取り出し口を覆うように蓋体を着脱可能に装着した替芯ケースであって、前記ケース本体の芯取り出し口には、芯案内部材が配置されて、当該芯案内部材の幅方向の両側面に、前記蓋体の内側面に接して蓋体を着脱可能に支持する凸部がそれぞれ形成され、前記両側面の凸部の形成位置には、各凸部の内側に隣接して、前記芯案内部材を貫通する貫通孔がそれぞれ形成されていることを特徴とする。
【００１０】
この場合、前記ケース本体の長手方向に沿った前記凸部の長さ寸法に対して、前記貫通孔の長さ寸法が大きく設定されていることが望ましい。
【００１１】
そして好ましい形態においては、前記ケース本体は、前記芯案内部材と、芯案内部材の前面を覆うカバー部材とにより構成され、前記芯案内部材の前面には、長手方向に沿って互いに平行となるように、複数の直線状の隔壁が形成されて、隔壁間が芯収容部になされ、前記芯案内部材の長手方向の端部が前記カバー部材よりも突出して、前記芯取り出し口が形成される。
【００１２】
また好ましくは、前記カバー部材は透明な樹脂素材により成形され、前記芯案内部材は不透明な樹脂素材により成形される。そして、前記芯案内部材の各凸部を通るように、金型によるパーティングラインが形成された構成も採用することができる。
【発明の効果】
【００１３】
この発明に係る替芯ケースによると、ケース本体の芯取り出し口に配置された芯案内部材の両側面に、蓋体を着脱可能に支持する凸部がそれぞれ形成される。
そして、各凸部の内側に隣接して、芯案内部材を貫通する貫通孔がそれぞれ形成されるので、この貫通孔の存在により前記凸部を内側に変位させる弾性変形作用を効果的に与えることができる。
【００１４】
したがって、芯案内部材の特定な位置に貫通孔を形成するという比較的簡素な弾性変形の付与手段を採用することで、ケース本体に対する蓋体の嵌合力のばらつき、すなわち蓋体の着脱に要する操作力のばらつきを軽減させることに寄与でき、この種の商品の品質向上に貢献することができる。
【図面の簡単な説明】
【００１５】
【図１Ａ】この発明に係る替芯ケースの全体構成を示した斜視図である。
【図１Ｂ】同じく裏面側の斜視図である。
【図２Ａ】蓋体を除いた状態を示した斜視図である。
【図２Ｂ】同じく裏面側の斜視図である。
【図３Ａ】芯案内部材の単体構成を示した斜視図である。
【図３Ｂ】同じく裏面側の斜視図である。
【図４Ａ】カバー部材の単体構成を示した斜視図である。
【図４Ｂ】同じく裏面側の斜視図である。
【図５】替芯ケースの全体構成の断面図および一部の拡大断面図である。
【図６】芯案内部材の単体構成を示した側面図である。
【発明を実施するための形態】
【００１６】
この発明に係る替芯ケースについて、図に基づいて説明する。
図１Ａおよび図１Ｂに示すように、替芯ケース１は、替芯を収容するケース本体２と、このケース本体２の芯取り出し口に着脱可能に装着された蓋体３より構成している。
ケース本体２は、全体が長尺状で偏平状になされた直方体形状を構成しており、上端部の芯取り出し口を覆うようにして、天面が円弧状に成形された蓋体３が、軸方向に着脱可能に装着されることで、替芯ケース１を構成している。
【００１７】
そして、ケース本体２は、芯案内部材４と、この芯案内部材４の前面を覆うようにして、嵌合により取り付けられたカバー部材５とにより構成されている。
また、前記蓋体３は、その厚さ寸法が前記カバー部材５の厚さ寸法とほぼ同一となるように成形され、また幅寸法もカバー部材５の幅寸法とほぼ同一となるように成形されている。
【００１８】
蓋体３には図５にも示されているように通気孔３ａが２か所において軸方向に蓋体３を貫通するように形成されており、また蓋体３の前面および背面には、対向して凹み部３ｂが形成されている。この凹み部３ｂは指先で蓋体３を把持した場合の滑り防止の機能を果たすものとなる。
また、蓋体３は前記カバー部材５と共に、例えば透明なアクリル樹脂により成形されており、カバー部材５によってカバーされる前記芯案内部材４は、不透明な樹脂素材により成形されている。
これにより、図１Ａや図１Ｂには図示されていないが、芯案内部材４と内部に収容された替芯を、カバー部材５と蓋体３を通して、前面から見ることができるように構成されている。
【００１９】
図２Ａおよび図２Ｂは、蓋体３を取り外した状態のケース本体２を示すものであり、このケース本体２は前記したとおり、図３Ａおよび図３Ｂに示す芯案内部材４の前面に、図４Ａおよび図４Ｂに示すカバー部材５を、嵌合により組み付けることで構成される。
この場合、前記芯案内部材４は、カバー部材５よりも長さ寸法が大きく成形されており、両者を嵌合により組み付けた場合、芯案内部材３の長手方向の上端部がカバー部材４よりも上部に突出して、この突出部が芯取り出し部６を構成している。
【００２０】
そして、芯取り出し部６を形成した芯案内部材４の幅方向の両側面には、一対の小突起による凸部７が、芯案内部材４の両外側に向かって形成されている。この一対の凸部７が、前記蓋体３の内側面に接して、蓋体３を着脱可能に支持する機能を果たす。
さらに、芯案内部材４には、各凸部７の内側に隣接して、前記芯案内部材４を貫通する軸方向に長い貫通孔８がそれぞれ形成されている。この貫通孔８は、その存在により前記凸部７を内側に変位し易くする弾性変形作用を与えるものであり、この貫通孔８のさらに詳細な構成および作用については図５に基づいて後で説明する。
【００２１】
前記芯案内部材４には、図３Ａに示されているように、その前面に長手方向に沿って互いに平行となるように、複数（図示例においては５本）の直線状の隔壁９が幅方向にほぼ等間隔に形成されており、隔壁９の間が個別に分かれた芯収容部１０を構成している。
そして、芯案内部材４の前記凸部７が形成された両側面には、それぞれ長手方向の２か所において、前記カバー部材５への嵌合用突起４ａが形成されている。
【００２２】
一方、図４Ａと図４Ｂに示されているように、カバー部材５は、長手方向に直交する断面形状がコ字状となるように、背面側に沿って一対の脚部５ａが一体に成形されている。  この一対の脚部５ａの内側面には、図４Ｂに示されているように、それぞれ長手方向の２か所において、前記芯案内部材４への嵌合用凹部５ｂが形成されている。
【００２３】
したがって、カバー部材５の背面側における一対の脚部５ａの間に、前記芯案内部材４を押し込み、芯案内部材４の各嵌合用突起４ａを、カバー部材５の各嵌合用凹部５ｂに嵌め込むことで、芯案内部材４とカバー部材５は、位置合わせされて組み付けられる。
これにより、図２Ａおよび図２Ｂに示したケース本体２が構成される。
【００２４】
図５（Ａ）は、図１Ａおよび図１Ｂに示す替芯ケース１を、その厚さ方向の中央部で切断した状態の断面図である。また図５（Ｂ）は、図５（Ａ）の破線で囲んだａ領域の拡大断面図である。
図５に示すように、蓋体３の内側面は矩形状の空間を形成して、芯案内部材４の先端部（前記芯取り出し部６）を覆うようにして取り付けられる。また、蓋体３の幅方向の内側面には、図５（Ｂ）に示すように円弧状の突出部３ｃが対向するようにして形成されている。そしてこの円弧状突出部３ｃが芯案内部材４の先端部に形成された前記一対の凸部７に係止されることで、蓋体３はケース本体２に着脱可能に取り付けられる。
したがって、蓋体３をケース本体２に対して着脱させるには、蓋体３の内側面に形成された前記円弧状突出部３ｃが、芯案内部材４に形成された前記凸部７を乗り越えることになる。
【００２５】
一方、図５（Ｂ）に示すように、芯案内部材４には前記凸部７の内側に隣接して、芯案内部材４を貫通する軸方向に長い貫通孔８が形成されている。
この貫通孔８の長さ寸法Ｌ２は、前記凸部７の軸方向の長さ寸法Ｌ１に対して、大きく設定されており、図示例においては凸部７の長さ寸法Ｌ１に対して貫通孔８の長さ寸法Ｌ２は、２倍程度となるように設定されている。この貫通孔８は、前記凸部７を内側に変位し易くするために、芯案内部材４に局所的に弾性変形作用を与えるものである。
したがって、蓋体３をケース本体２に対して着脱するに際しては、前記凸部７は適度な変形を伴うために、蓋体３の着脱に要する操作力のばらつきを軽減することができる。
【００２６】
なお、前記芯案内部材４には、図５（Ｂ）に示すようにテーパ状の膨出部４ｂが形成されており、このテーパ状の膨出部４ｂは、装着された蓋体３の開口部に接して、ケース本体２に対して蓋体３が、がたつきなく支持されるように作用するものとなる。
【００２７】
図６は、前記芯案内部材４を樹脂成形する場合に残される金型によるパーティングラインの形成位置を例示している。すなわち、図６に示す例においては、ｂ−ｂ線に沿った直線上にパーティングラインが形成されており、この例によると、芯案内部材４の各凸部７を通るようにパーティングラインが残される。
【００２８】
この様に、やむを得ず前記凸部７にパーティングラインが残されることになっても、前記した貫通孔８の存在により、前記凸部７は貫通孔８に向かって適度な変形を伴うことになり、前記蓋体３の着脱に際して、パーティングラインの存在による影響を軽減させることができる。
【符号の説明】
【００２９】
１    替芯ケース
２    ケース本体
３    蓋体
３ａ  通気孔
３ｂ  凹み部
３ｃ  円弧状突出部
４    芯案内部材
４ａ  嵌合用突起
４ｂ  テーパ膨出部
５    カバー部材
５ａ  脚部
５ｂ  嵌合用凹部
６    芯取り出し部
７    凸部
８    貫通孔
９    隔壁
１０  芯収容部
【図１Ａ】
2018020495.tif 000003
【図１Ｂ】
2018020495.tif 000004
【図２Ａ】
2018020495.tif 000005
【図２Ｂ】
2018020495.tif 000006
【図３Ａ】
2018020495.tif 000007
【図３Ｂ】
2018020495.tif 000008
【図４Ａ】
2018020495.tif 000009
【図４Ｂ】
2018020495.tif 000010
【図５】
2018020495.tif 000011
【図６】
2018020495.tif 000012